(57)【特許請求の範囲】
【請求項１】
複数の表示セグメントを選択的に組合せて発光させることにより所望の文字記号を色分け表示する表示装置において、
第１乃至第４の４つの縦棒状の表示セグメントと、第５乃至第７の３つの横棒状の表示セグメントとが略日の字状に配置され、所定の色で発光する第１の表示セグメント群と、
第８乃至第１１の４つの縦棒状の表示セグメントと、第１２乃至第１４の３つの横棒状の表示セグメントとが略日の字状に配置され、前記第１の表示セグメント群と異なる色で発光する第２の表示セグメント群とを１組とする表示セグメント群を具備し、
前記第１の表示セグメント群と前記第２の表示セグメント群とは、前記横棒状の表示セグメントが前記縦棒状の表示セグメントよりも細く形成され、かつ片側上下の縦棒状の表示セグメントが他方の表示セグメント群の略ロの字状に配置される４つの表示セグメントにより取り囲まれるように斜め方向にずれて近接配置されるものであって、
前記第１の表示セグメント群における左側２本の縦棒状の第１及び第２の表示セグメントは、その上下端部が平坦に形成され、２本分の横棒状の第６及び第１３の表示セグメントが納まる間隔をおき、所定角度傾斜して直線上に配置され、
前記第１の表示セグメント群における右側２本の縦棒状の第３及び第４の表示セグメントは、所定間隔をおいて前記第１及び第２の表示セグメントと平行をなして直線上に配置され、
前記第３の表示セグメントは、所定間隔をおいて前記第１の表示セグメントと対向しており、上端側が前記第１の表示セグメントよりも長く形成され、下端部が前記第１の表示セグメントの下端部と略同一高さに位置し、
前記第４の表示セグメントは、所定間隔をおいて前記第２の表示セグメントと対向しており、上端部が前記第３の表示セグメントの下端部に連接し、下端部が前記第２の表示セグメントの下端部と略同一高さに位置し、
前記第１の表示セグメント群における上側の横棒状の前記第５の表示セグメントは、左端部が前記第１の表示セグメントの上端部と所定間隔をおき、右端部が前記第３の表示セグメントの上端部に連接して水平に配置され、
前記第１の表示セグメント群における中央の横棒状の前記第６の表示セグメントは、左端部が前記第１の表示セグメントの下端部に連接し、右端部が前記第３及び第４の表示セグメントに連接して前記第５の表示セグメントと平行に配置され、
前記第１の表示セグメント群における下側の横棒状の前記第７の表示セグメントは、左端部が前記第２の表示セグメントの下端部に連接し、右端部が前記第４の表示セグメントの下端部に連接して前記第５及び第６の表示セグメントと平行に配置されており、
前記第２の表示セグメント群における左側２本の縦棒状の前記第８及び第９の表示セグメントは、前記第１の表示セグメント群の前記第１及び第２の表示セグメントに近接かつ平行をなすように直線上に配置され、
前記第２の表示セグメント群における前記第８の表示セグメントは、前記第１の表示セグメントと近接して対向しており、上端部が前記第１の表示セグメントと略同一高さに位置し、下端部が前記第１の表示セグメントよりも長く形成され、
前記第２の表示セグメント群における前記第９の表示セグメントは、前記第２の表示セグメントと近接して対向しており、上端部が前記第８の表示セグメントの下端部に連通し、下端部が前記第２の表示セグメントよりも長く形成され、
前記第２の表示セグメント群における右側２本の縦棒状の第１０及び第１１の表示セグメントは、所定間隔をおいて前記第８及び第９の表示セグメントと平行をなし、かつ前記第１の表示セグメント群の前記第３及び第４の表示セグメントに近接して直線上に配置され、
前記第１０の表示セグメントは、前記第３の表示セグメントに近接して前記第１の表示セグメントと前記第３の表示セグメントとの間に配置され、上端側が前記第８の表示セグメントよりも若干長く形成され、下端部が前記第１の表示セグメントの下端部と略同一高さに位置し、
前記第１１の表示セグメントは、上下両端部が平坦に形成され、前記第４の表示セグメントに近接して前記第２の表示セグメントと前記第４の表示セグメントとの間に配置され、上端部が前記第２の表示セグメントの上端部と略同一高さに位置し、下端部が前記第２の表示セグメントの下端部と略同一高さに位置し、
前記第２の表示セグメント群における上側の横棒状の前記第１２の表示セグメントは、前記第１の表示セグメントと前記第５の表示セグメントとの間を跨がるように、左端部が前記第８の表示セグメントの上端部に連接され、右端部が前記第１０の表示セグメントの上端部に連接して水平に配置され、
前記第２の表示セグメント群における中央の横棒状の第１３の表示セグメントは、左端部が前記第８の表示セグメントの下端部及び前記第９の表示セグメントの上端部に連接し、右端部が前記第１１の表示セグメントに連接して前記第１２の表示セグメントと平行に配置され、
前記第２の表示セグメント群における下側の横棒状の前記第１４の表示セグメントは、左端部が前記第９の表示セグメントの下端部に連接し、右端部が前記第７の表示セグメントの下端部のほぼ中央に連接して前記第１２及び第１３の表示セグメントと平行に配置されたことを特徴とする表示装置。
【発明の詳細な説明】
【０００１】
【発明の属する技術分野】
本発明は、複数の表示セグメントを選択的に組合せて発光させることにより所望の文字記号を色分け表示する表示装置に関する。
【０００２】
【従来の技術】
図３は実開昭５７−６８２８０号公報に開示される表示装置のセグメント構造を示す図である。
【０００３】
図３の表示装置は、自動車のシフトインジータにおける自動変速機のポジション表示部である。ポジション表示部は、第１乃至第１０の表示セグメント１１Ａ〜１１Ｊがそれぞれ近接して独立に単一の表示面内に配設されている。
【０００４】
更に、上記複数の表示セグメントの配置構造について詳述すると、第１の表示セグメント１２Ａは、表示面１１の左縁上半に沿ったほぼ縦棒状として配設され、下端が山状に尖った形状とされている。
【０００５】
第２の表示セグメント１２Ｂは、第１の表示セグメント１２Ａの下方延長上に連接されているとともに、表示面１１の左縁下半に沿ったほぼ縦棒状として配設され、上端が尖った形状とされている。
【０００６】
第３の表示セグメント１２Ｃは、その一端が第１の表示セグメント１２Ａの右上方に連接するとともに、他端が第１の表示セグメント１２Ａの右下方に連接するほぼコ字形状として配設されている。
【０００７】
第４の表示セグメント１２Ｄは、第３の表示セグメント１２Ｃの下部ほぼ中央位置から斜め右下方に向かうほぼ傾斜棒状として配設されている。
【０００８】
第５の表示セグメント１２Ｅは、その一端が第２の表示セグメント１２Ｂの右下方に連接され、他端が第４の表示セグメント１２Ｄの左下方に連接されて表示面１１の下縁に沿ったほぼ横棒状として配設されている。
【０００９】
第６の表示セグメント１２Ｆは、第４の表示セグメント１２Ｄの右下方に連接し、第１の表示セグメント１２Ａ及の上端高さ位置とほぼ同等の高さ位置まで直線上に向かうほぼ縦棒状として配設され、第１の表示セグメント１２Ａと第２の表示セグメント１２Ｂに対して平行とされている。
【００１０】
第７の表示セグメント１２Ｇは、第６の表示セグメント１２Ｆの右方における所定間隔をおいた位置に第６の表示セグメント１２Ｆと平行にほぼ縦棒状として配設されている。
【００１１】
第８の表示セグメント１２Ｈは、その一端が第６の表示セグメント１２Ｆの右上方に連接されるとともに、他端が第７の表示セグメント１２Ｇの左下方に連接するほぼ傾斜棒状として配設されている。
【００１２】
第９の表示セグメント１２Ｉは、第６の表示セグメント１２Ｆの右上方に連接されるとともに、第８の表示セグメント１２Ｈの右下方に向けてほぼ下向弧状に配設されている。
【００１３】
第１０の表示セグメント１２Ｊは、第６の表示セグメント１２Ｆの右下方に連接されるとともに、第８の表示セグメント１２Ｈの左下方に向けてほぼ上向弧状に配設されている。
【００１４】
そして、上記のように第１乃至第１０の表示セグメント１２Ａ〜１２Ｊが配設された表示装置では、第１乃至第１０の表示セグメント１２Ａ〜１２Ｊを選択的に組合せて駆動させることにより、自動減速機における変速レンジを示すパーキング「Ｐ」、リバース「Ｒ」、ニュートラル「Ｎ」、ドライブ「Ｄ」、セコンド「Ｓ」及びロー「Ｌ」を選択的に表示させている。
【００１５】
具体的には、第１乃至第３の表示セグメント１２Ａ〜１２Ｃを選択駆動すれば、「Ｐ」が表示される。第１乃至第４の表示セグメント１２Ａ〜１２Ｄを選択駆動すれば、「Ｒ」が表示される。第６乃至第８の表示セグメント１２Ｆ〜１２Ｈを選択駆動すれば、「Ｎ」が表示される。第６・第９・第１０の表示セグメント１２Ｆ，１２Ｉ，１２Ｊを選択駆動すれば、「Ｄ」が表示される。第２・第３・第５の表示セグメント１２Ｂ，１２Ｃ，１２Ｅを選択駆動すれば、「２」が表示される。第１・第２・第５の表示セグメント１２Ａ，１２Ｂ，１２Ｅを選択駆動すれば、「Ｌ」が表示される。
【００１６】
更に、上記表示装置では、「Ｐ」を表示するための第１乃至第３の表示セグメント１２Ａ〜１２Ｃが個々に棒状の多数個の小セグメント１３（１３ａ，１３ｂ）に分割されている。そして、図３中の斜線を付して示す小セグメント１３ａと第４の表示セグメント１２Ｄは、他の表示セグメント１２Ｅ〜１２Ｊとは異なる表示色で形成されている。例えば第５乃至第１０の表示セグメント１２Ｅ〜１２Ｊが緑色表示をするセグメントであれば、上記小セグメント１３ａと第４の表示セグメント１２Ｄが赤色表示をするセグメントで構成される。
【００１７】
また、第１乃至第３の表示セグメント１２Ａ〜１２Ｃにおいて、図３中に斜線のない小セグメント１３ｂは、第５乃至第１０の表示セグメント１２Ｅ〜１２Ｊと同色（例えば緑色）に表示するセグメントで構成されている。
【００１８】
上記構成によれば、第１乃至第３の表示セグメント１２Ａ〜１２Ｃの小セグメント１３ａに表示信号を与えれば、赤色で「Ｐ」が表示されるので、他の記号と色分け表示することができる。
【００１９】
【発明が解決しようとする課題】
ところで、上記図３に示す従来の表示装置では、第１乃至第３の表示セグメント１２Ａ〜１２Ｃが異なる２種類の表示色による多数個の小セグメント１３ａ，１３ｂが交互に配置されて分割されたセグメント構造により、パーキング「Ｐ」とリバース「Ｒ」の色分け表示を行っている。なお、表示セグメントを色分けする構成としては、一つの表示セグメントを棒状の多数個の小セグメントに分割する他、小セグメントを櫛歯状やドット状に分割して形成する場合もある。
【００２０】
しかしながら、上述した何れのセグメント構造においても、文字記号等を色分け表示した際、表示セグメントに発光しない部分が存在するため、表示セグメントの連続性が保てず、美観を損なっていた。
【００２１】
そこで、本発明は、上記問題点に鑑みてなされたものであり、美観を損なうことなく連続性のある表示セグメントにより所望の文字記号を色分け表示することができる表示装置を提供することを目的としている。
【００２２】
【課題を解決するための手段】
上記目的を達成するため、請求項１の発明は、複数の表示セグメントを選択的に組合せて発光させることにより所望の文字記号を色分け表示する表示装置において、
第１乃至第４の４つの縦棒状の表示セグメントと、第５乃至第７の３つの横棒状の表示セグメントとが略日の字状に配置され、所定の色で発光する第１の表示セグメント群と、
第８乃至第１１の４つの縦棒状の表示セグメントと、第１２乃至第１４の３つの横棒状の表示セグメントとが略日の字状に配置され、前記第１の表示セグメント群と異なる色で発光する第２の表示セグメント群とを１組とする表示セグメント群を具備し、
前記第１の表示セグメント群と前記第２の表示セグメント群とは、前記横棒状の表示セグメントが前記縦棒状の表示セグメントよりも細く形成され、かつ片側上下の縦棒状の表示セグメントが他方の表示セグメント群の略ロの字状に配置される４つの表示セグメントにより取り囲まれるように斜め方向にずれて近接配置されるものであって、
前記第１の表示セグメント群における左側２本の縦棒状の第１及び第２の表示セグメントは、その上下端部が平坦に形成され、２本分の横棒状の第６及び第１３の表示セグメントが納まる間隔をおき、所定角度傾斜して直線上に配置され、
前記第１の表示セグメント群における右側２本の縦棒状の第３及び第４の表示セグメントは、所定間隔をおいて前記第１及び第２の表示セグメントと平行をなして直線上に配置され、
前記第３の表示セグメントは、所定間隔をおいて前記第１の表示セグメントと対向しており、上端側が前記第１の表示セグメントよりも長く形成され、下端部が前記第１の表示セグメントの下端部と略同一高さに位置し、
前記第４の表示セグメントは、所定間隔をおいて前記第２の表示セグメントと対向しており、上端部が前記第３の表示セグメントの下端部に連接し、下端部が前記第２の表示セグメントの下端部と略同一高さに位置し、
前記第１の表示セグメント群における上側の横棒状の前記第５の表示セグメントは、左端部が前記第１の表示セグメントの上端部と所定間隔をおき、右端部が前記第３の表示セグメントの上端部に連接して水平に配置され、
前記第１の表示セグメント群における中央の横棒状の前記第６の表示セグメントは、左端部が前記第１の表示セグメントの下端部に連接し、右端部が前記第３及び第４の表示セグメントに連接して前記第５の表示セグメントと平行に配置され、
前記第１の表示セグメント群における下側の横棒状の前記第７の表示セグメントは、左端部が前記第２の表示セグメントの下端部に連接し、右端部が前記第４の表示セグメントの下端部に連接して前記第５及び第６の表示セグメントと平行に配置されており、
前記第２の表示セグメント群における左側２本の縦棒状の前記第８及び第９の表示セグメントは、前記第１の表示セグメント群の前記第１及び第２の表示セグメントに近接かつ平行をなすように直線上に配置され、
前記第２の表示セグメント群における前記第８の表示セグメントは、前記第１の表示セグメントと近接して対向しており、上端部が前記第１の表示セグメントと略同一高さに位置し、下端部が前記第１の表示セグメントよりも長く形成され、
前記第２の表示セグメント群における前記第９の表示セグメントは、前記第２の表示セグメントと近接して対向しており、上端部が前記第８の表示セグメントの下端部に連通し、下端部が前記第２の表示セグメントよりも長く形成され、
前記第２の表示セグメント群における右側２本の縦棒状の第１０及び第１１の表示セグメントは、所定間隔をおいて前記第８及び第９の表示セグメントと平行をなし、かつ前記第１の表示セグメント群の前記第３及び第４の表示セグメントに近接して直線上に配置され、
前記第１０の表示セグメントは、前記第３の表示セグメントに近接して前記第１の表示セグメントと前記第３の表示セグメントとの間に配置され、上端側が前記第８の表示セグメントよりも若干長く形成され、下端部が前記第１の表示セグメントの下端部と略同一高さに位置し、
前記第１１の表示セグメントは、上下両端部が平坦に形成され、前記第４の表示セグメントに近接して前記第２の表示セグメントと前記第４の表示セグメントとの間に配置され、上端部が前記第２の表示セグメントの上端部と略同一高さに位置し、下端部が前記第２の表示セグメントの下端部と略同一高さに位置し、
前記第２の表示セグメント群における上側の横棒状の前記第１２の表示セグメントは、前記第１の表示セグメントと前記第５の表示セグメントとの間を跨がるように、左端部が前記第８の表示セグメントの上端部に連接され、右端部が前記第１０の表示セグメントの上端部に連接して水平に配置され、
前記第２の表示セグメント群における中央の横棒状の第１３の表示セグメントは、左端部が前記第８の表示セグメントの下端部及び前記第９の表示セグメントの上端部に連接し、右端部が前記第１１の表示セグメントに連接して前記第１２の表示セグメントと平行に配置され、
前記第２の表示セグメント群における下側の横棒状の前記第１４の表示セグメントは、左端部が前記第９の表示セグメントの下端部に連接し、右端部が前記第７の表示セグメントの下端部のほぼ中央に連接して前記第１２及び第１３の表示セグメントと平行に配置されたことを特徴とする。
【００２３】
【発明の実施の形態】
図１は本発明による表示装置のセグメント構造の実施の形態を示す平面図である。
【００２４】
本実施の形態による表示装置は、複数の表示セグメントを選択的に組合せて発光させることにより所望の文字記号を色分けしてデジタル表示するものであり、表示面に対して共に７つの表示セグメントが略日の字状に配置された第１の表示セグメント群１と第２の表示セグメント群２とを１組とする表示セグメント群３を備えている。
【００２５】
第１の表示セグメント群１は、第１乃至第４の４つの縦棒状の表示セグメント１ｂ，１ｃ，１ｅ，１ｆと、第５乃至第７の３つの横棒状の表示セグメント１ａ，１ｄ，１ｇとが表示面に対して略日の字状に配置されている。
【００２６】
第２の表示セグメント群２も第１の表示セグメント群１と同様に、第８乃至第１１の４つの縦棒状の表示セグメント２ｂ，２ｃ，２ｅ，２ｆと、第１２乃至第１４の３つの横棒状の表示セグメント２ａ，２ｄ，２ｇとが表示面に対して略日の字状に配置されている。
【００２７】
第１の表示セグメント群１と第２の表示セグメント群２とは、右斜め方向にずれて近接配置されている。また、第１及び第２の表示セグメント群１，２における横棒状の表示セグメント１ａ，１ｄ，１ｇ，２ａ，２ｄ，２ｇは、その幅が縦棒状の表示セグメント１ｂ，１ｃ，１ｅ，１ｆ，２ｂ，２ｃ，２ｅ，２ｆの幅より狭く、縦棒状の表示セグメント１ｂ，１ｃ，１ｅ，１ｆ，２ｂ，２ｃ，２ｅ，２ｆよりも細く形成されている。
【００２８】
これにより、表示面に対して大きなスペースを必要とせずに、各表示セグメント１ａ〜１ｇ，２ａ〜２ｇ間の隙間を最小限に狭めて第１の表示セグメント群１と第２の表示セグメント群２を配置することができる。
【００２９】
更に、図１に基いて表示セグメント群３を構成する第１及び第２の表示セグメント群１，２の配置について説明する。
【００３０】
図１に示すように、第１の表示セグメント群１の左側２本の縦棒状の第１及び第２の表示セグメント１ｅ，１ｆは、２本分の横棒状の表示セグメント（第６の表示セグメント１ｇ、第１３の表示セグメント２ｇ）が納まる間隔をおき、所定角度傾斜して直線上に配置されている。第１及び第２の表示セグメント１ｅ，１ｆは、その上下端部が平坦に形成されている。
【００３１】
第１の表示セグメント群１の右側２本の縦棒状の第３及び第４の表示セグメント１ｂ，１ｃは、所定間隔をおいて第１及び第２の表示セグメント１ｅ，１ｆと平行をなして直線上に配置されている。
【００３２】
第３の表示セグメント１ｂは、所定間隔をおいて第１の表示セグメント１ｆと対向しており、上端側が第１の表示セグメント１ｆよりも長く形成され、下端部が第１の表示セグメント１ｆの下端部と略同一高さに位置している。第３の表示セグメント１ｂは、上端部が右上向き弧状に形成され、下端部が第４の表示セグメント１ｃに向かって山状に尖った形状とされている。
【００３３】
第４の表示セグメント１ｃは、所定間隔をおいて第２の表示セグメント１ｅと対向しており、上端部が第３の表示セグメント１ｂの下端部に連接し、下端部が第２の表示セグメント１ｅの下端部と略同一高さに位置している。第４の表示セグメント１ｃは、上端部が第３の表示セグメント１ｂに向かって山状に尖った形状とされ、下端部が平坦に形成されている。
【００３４】
第１の表示セグメント群１の上側の横棒状の第５の表示セグメント１ａは、左端部が第１の表示セグメント１ｆの上端部と所定間隔をおき、右端部が第３の表示セグメント１ｂの上端部に連接して水平に配置されている。第５の表示セグメント１ａは、左端部が左上向き弧状に形成され、右端部が平坦に形成されている。
【００３５】
第１の表示セグメント群１の中央の横棒状の第６の表示セグメント１ｇは、左端部が第１の表示セグメント１ｆの下端部に連接し、右端部が第３及び第４の表示セグメント１ｂ，１ｃに連接して第５の表示セグメント１ａと平行に配置されている。第６の表示セグメント１ｇは、両端部が外方に向けて山状に尖った形状とされている。
【００３６】
第１の表示セグメント群１の下側の横棒状の第７の表示セグメント１ｄは、左端部が第２の表示セグメント１ｅの下端部に連接し、右端部が第４の表示セグメント１ｃの下端部に連接して第５及び第６の表示セグメント１ａ，１ｇと平行に配置されている。第７の表示セグメント１ｄは、両端部が斜め下向き弧状に形成されている。
【００３７】
図１に示すように、第２の表示セグメント群２の左側２本の縦棒状の第８及び第９の表示セグメント２ｅ，２ｆは、第１の表示セグメント群１の第１及び第２の表示セグメント１ｅ，１ｆに近接かつ平行をなすように直線上に配置されている。
【００３８】
第８の表示セグメント２ｆは、第１の表示セグメント１ｆと近接して対向しており、上端部が第１の表示セグメント１ｆと略同一高さに位置し、下端部が第１の表示セグメント１ｆよりも長く形成されている。第８の表示セグメント２ｆは、上端部が山状に尖った形状とされ、下端部が第９の表示セグメント２ｅに向けて山状に尖った形状とされている。
【００３９】
第９の表示セグメント２ｅは、第２の表示セグメント１ｅと近接して対向しており、上端部が第８の表示セグメント２ｆの下端部に連通し、下端部が第２の表示セグメント１ｅよりも長く形成されている。第９の表示セグメント２ｅは、上端部が第８の表示セグメント２ｆに向けて山状に尖った形状とされ、下端部が平坦に形成されている。
【００４０】
第２の表示セグメント群２の右側２本の縦棒状の第１０及び第１１の表示セグメント２ｂ，２ｃは、所定間隔をおいて第８及び第９の表示セグメント２ｅ，２ｆと平行をなし、かつ第１の表示セグメント群１の第３及び第４の表示セグメント１ｂ，１ｃに近接して直線上に配置されている。
【００４１】
第１０の表示セグメント２ｂは、第３の表示セグメント１ｂに近接して第１の表示セグメント１ｆと第３の表示セグメント１ｂとの間に配置されており、上端側が第８の表示セグメント２ｆよりも若干長く形成され、下端部が第１の表示セグメント１ｆの下端部と略同一高さに位置している。第１０の表示セグメント２ｂは、上端部が右上向き弧状に形成され、下端部が平坦に形成されている。
【００４２】
第１１の表示セグメント２ｃは、第４の表示セグメント１ｃに近接して第２の表示セグメント１ｅと第４の表示セグメント１ｃとの間に配置されており、上端部が第２の表示セグメント１ｅの上端部と略同一高さに位置し、下端部が第２の表示セグメント１ｅの下端部と略同一高さに位置している。第１１の表示セグメント２ｃは、上下両端部が平坦に形成されている。
【００４３】
第２の表示セグメント群２の上側の横棒状の第１２の表示セグメント２ａは、第１の表示セグメント１ｆと第５の表示セグメント１ａとの間を跨がるように、左端部が第８の表示セグメント２ｆの上端部に連接され、右端部が第１０の表示セグメント２ｂの上端部に連接して水平に配置されている。第１２の表示セグメント２ａは、左端部の上半部が左上向き弧状に形成され、左端部の下半部が右下がりに傾斜しており、右端部が平坦に形成されている。
【００４４】
第２の表示セグメント群２の中央の横棒状の第１３の表示セグメント２ｇは、左端部が第８の表示セグメント２ｆの下端部及び第９の表示セグメント２ｅの下端部に連接し、右端部が第１１の表示セグメント２ｃに連接して第１２の表示セグメント２ａと平行に配置されている。第１３の表示セグメント２ｇは、両端部が右下がりに傾斜した形状とされている。
【００４５】
第２の表示セグメント群２の下側の横棒状の第１４の表示セグメント２ｄは、左端部が第９の表示セグメント２ｅの下端部に連接し、右端部が第７の表示セグメント１ｄの下端部のほぼ中央に連接して第１２及び第１３の表示セグメント２ａ，２ｇと平行に配置されている。第１４の表示セグメント２ｄは、両端部が斜め下向き弧状に形成されている。
【００４６】
上記のように配置されたセグメント構造では、第１の表示セグメント群１において、第１の表示セグメント１ｆは、第２の表示セグメント群２の略ロの字状に配置された第８、第１０、第１２及び第１３の表示セグメント２ａ，２ｂ，２ｆ，２ｇにより取り囲まれる。第１の表示セグメント群の第２の表示セグメント１ｅは、第２の表示セグメント群２の略ロの字状に配置された第９、第１１、第１３及び第１４の表示セグメント２ｃ，２ｄ，２ｅ，２ｇにより取り囲まれる。
【００４７】
また、第２の表示セグメント群２において、第１０の表示セグメント２ｂは、第１の表示セグメント群１の略ロの字状に配置された第１、第３、第５及び第６の表示セグメント１ａ，１ｂ，１ｆ，１ｇにより取り囲まれる。第１１の表示セグメント２ｃは、第１の表示セグメント群１の略ロの字状に配置された第２、第４、第６及び第７の表示セグメント２ｃ，２ｄ，２ｅ，２ｇにより取り囲まれる。
【００４８】
これにより、第１の表示セグメント群１と第２の表示セグメント群２とは、右斜め方向にずれて各表示セグメントが近接配置される。
【００４９】
上記第１及び第２の表示セグメント群１，２の各表示セグメント１ａ〜１ｇ，２ａ〜２ｇは、蛍光表示管の他、液晶、エレクトロルミネッセンス、プラズマディスプレイなどで形成することができる。
【００５０】
そして、第１の表示セグメント群１の各表示セグメント１ａ〜１ｇは、不図示の外部リードを介して外部から表示信号が与えられたときに、例えば緑色に発光駆動される。これに対し、第２の表示セグメント群２の各表示セグメント２ａ〜２ｇは、不図示の外部リードを介して外部から表示信号が与えられたときに、第１の表示セグメント群１とは異なる表示色、例えば赤橙色に発光駆動される。
【００５１】
図２（ａ），（ｂ）は図１のセグメント構造を電卓の表示部における表示セグメントに適用した場合の表示例を示している。
【００５２】
図２に示す電卓の表示部４は、図１に示す表示セグメント群３が所定間隔をおいてｎ個（例えば８桁、１１桁、１３桁などの桁数に相当）配置されている。また、各桁の表示セグメント群３間には、小数点を表示するための円形のドットセグメント群５が配置されている。
【００５３】
ドットセグメント群５は、表示セグメント群３の第１の表示セグメント群１に対応する第１のドットセグメント６と、表示セグメント群３の第２の表示セグメント群２に対応する第２のドットセグメント７とを備えている。
【００５４】
更に説明すると、第１のドットセグメント６は、各第１の表示セグメント群１の第４の表示セグメント１ｃの下端部の右側に近接して配置されている。この第１のドットセグメント６は、不図示の外部リードを介して外部から表示信号が与えられたときに、第１の表示セグメント群１と同一表示色である緑色に発光駆動される。
【００５５】
第２のドットセグメント７は、各第１の表示セグメント群１の第７の表示セグメント１ｄの右端部の下方で、第１のドットセグメント６の左斜め下方に近接して配置される。この第２のドットセグメント７は、不図示の外部リードを介して外部から表示信号が与えられたときに、第２の表示セグメント群２と同一表示色である赤橙色に発光駆動される。
【００５６】
上記セグメント構造からなる電卓の表示部４では、所定の計算を行うにあたって、正の値を表示する場合には第１の表示セグメント群１の所定の表示セグメントが発光駆動され、負の値を表示する場合には第２の表示セグメント群２の所定の表示セグメントが発光駆動される。
【００５７】
ここで、図２（ａ）は１２３４．５＋６７８．９の計算を行ったときの表示結果を示し、図２（ｂ）は６７８．９−１２３４．５の計算を行ったときの表示結果を示している。
【００５８】
図２（ａ）の例では、１２３４．５＋６７８．９の計算結果が１９１３．４と正の値になるので、第１の表示セグメント群１により「１９１３．４」と緑色で表示される。
【００５９】
更に説明すると、右端の桁の表示セグメント群３-1は、第１の表示セグメント群１の第１、第３、第４及び第６の表示セグメント１ｆ，１ｂ，１ｃ，１ｇに表示信号が与えられて緑色に発光する。これにより、右端の桁には緑色で「４」と表示される。
【００６０】
右端から２番目の桁の表示セグメント群３-2は、第１の表示セグメント群１の第３乃至第７の表示セグメント１ａ〜１ｄ，１ｇに表示信号が与えられて緑色に発光する。これにより、右端から２番目の桁には緑色で「３」と表示される。
【００６１】
右端の桁と右端から２番目の桁との間のドットセグメント群５-1は、第１のドットセグメント６に表示信号が与えられて緑色に発光する。これにより、右端の桁と右端から２番目の桁との間に小数点を示すドット表示が緑色でなされる。
【００６２】
右端から３番目の桁の表示セグメント群３-3は、第１の表示セグメント群１の第３及び第４の表示セグメント１ｂ，１ｃに表示信号が与えられて緑色に発光する。これにより、右端から３番目の桁には緑色で「１」と表示される。
【００６３】
右端から４番目の桁の表示セグメント群３-4は、第１の表示セグメント群１の第１、第３乃至第７の表示セグメント１ａ〜１ｄ，１ｆ、１ｇに表示信号が与えられて緑色に発光する。これにより、右端から４番目の桁には緑色で「９」と表示される。
【００６４】
右端から５番目の桁の表示セグメント群３-5は、第１の表示セグメント群１の第３及び第４の表示セグメント１ｂ，１ｃに表示信号が与えられて緑色に発光する。これにより、右端から５番目の桁には緑色で「１」と表示される。
【００６５】
図２（ｂ）の例では、６７８．９−１２３４．５の計算結果が−５５５．６と負の値になるので、第２の表示セグメント群２により「５５５．６」と赤橙色で表示される。
【００６６】
更に説明すると、右端の桁の表示セグメント群３-1は、第２の表示セグメント群２の第８、第９、第１１乃至第１４の表示セグメント２ａ〜２ｆに表示信号が与えられて赤橙色に発光する。これにより、右端の桁には赤橙色で「６」と表示される。
【００６７】
右端から２番目の桁の表示セグメント群３-2は、第２の表示セグメント群２の第８、第１１乃至第１４の表示セグメント２ａ，２ｃ，２ｄ，２ｆ，２ｇに表示信号が与えられて赤橙色に発光する。これにより、右端から２番目の桁には赤橙色で「５」と表示される。
【００６８】
右端の桁と右端から２番目の桁との間のドットセグメント群５-1は、第２のドットセグメント７に表示信号が与えられて赤橙色に発光する。これにより、右端の桁と右端から２番目の桁との間に小数点を示すドット表示が赤橙色でなされる。
【００６９】
右端から３番目の桁の表示セグメント群３-3は、第２の表示セグメント群２の第８、第１１乃至第１４の表示セグメント２ａ，２ｃ，２ｄ，２ｆ，２ｇに表示信号が与えられて赤橙色に発光する。これにより、右端から３番目の桁には赤橙色で「５」と表示される。
【００７０】
右端から４番目の桁の表示セグメント群３-4は、第２の表示セグメント群２の第８、第１１乃至第１４の表示セグメント２ａ，２ｃ，２ｄ，２ｆ，２ｇに表示信号が与えられて赤橙色に発光する。これにより、右端から４番目の桁には赤橙色で「５」と表示される。
【００７１】
このように、上記実施の形態の表示装置によれば、１つの桁の表示セグメント群３が１４個の表示セグメント１ａ〜１ｇ，２ａ〜２ｇからなり、第１乃至第７の表示セグメント１ａ〜１ｇにより一方の略日の字セグメント（第１の表示セグメント群１）を構成し、第８乃至第１４の表示セグメント２ａ〜２ｇによりもう一方の略日の字セグメント（第２の表示セグメント群２）を構成しており、これら２つの略日の字セグメントは各表示セグメント１ａ〜１ｇ，２ａ〜２ｇが重ならないように斜め方向に若干ずれて近接配置されている。
【００７２】
したがって、従来のような１つの表示セグメントを多数個の小セグメントに分割した表示装置に比べ、表示セグメントの連続性が保て、美観を損なうことなく、所望の文字記号等の色分けデジタル表示を行うことができる。
【００７３】
また、第１及び第２の表示セグメント群１，２における横棒状の表示セグメント１ａ，１ｄ，１ｇ、２ａ，２ｄ，２ｇは、その幅が縦棒状の表示セグメント１ｂ，１ｃ，１ｅ，１ｆ、２ｂ，２ｃ，２ｅ，２ｆの幅より狭く細く形成されている。
【００７４】
したがって、表示面に対して大きなスペースを必要とせず、各表示セグメント１ａ〜１ｇ，２ａ〜２ｇ間の隙間を最小限に狭めて表示セグメント群３を配置することができる。
【００７５】
そして、上記実施の形態の表示装置のセグメント構造は、図２の電卓の表示部だけでなく、時計、温度計、オーディオ機器、測定機器、各種電子機器の表示部に適用することができる。
【００７６】
ところで、上記実施の形態では、第１の表示セグメント群１の各表示セグメント１ａ〜１ｇの表示色を緑色とし、第２の表示セグメント群２の各表示セグメント２ａ〜２ｇの表示色を赤橙色として説明したが、表示セグメントの表示色の色は緑色と赤橙色に限定されるものではない。すなわち、第１の表示セグメント群１の各表示セグメント１ａ〜１ｇと第２の表示セグメント群２の各表示セグメント２ａ〜２ｇとが異なる表示色で発光すればよく、例えば緑色と青色、青色と黄色などの各種色の組合せが考えられる。
【００７７】
また、上記実施の形態では、第１の表示セグメント群１と第２の表示セグメント群２とが右斜め方向にずれて近接配置された構成を図示して説明したが、左斜め方向にずれた配置でもよい。
【００７８】
【発明の効果】
以上の説明で明らかなように、本発明によれば、表示セグメントの連続性を保って、美観を損なうことなく、所望の文字記号等の色分けデジタル表示を行うことができる。また、第１及び第２の表示セグメント群における横棒状の表示セグメントは、その幅が縦棒状の表示セグメントの幅より狭く細く形成されているので、表示面に対して大きなスペースを必要とせず、各表示セグメント間の隙間を最小限に狭めて配置することができる。
【図面の簡単な説明】
【図１】本発明による表示装置のセグメント構造の実施の形態を示す図
【図２】（ａ），（ｂ）図１のセグメント構造を電卓の表示部における表示セグメントに適用した場合の表示例を示す図
【図３】従来の表示装置のセグメント構造を示す図
【符号の説明】
１…第１の表示セグメント群、２…第２の表示セグメント群、３…表示セグメント群、１ａ〜１ｇ，２ａ〜２ｇ…表示セグメント。
【図１】
0004228428.tif 000002
【図２】
0004228428.tif 000003
【図３】
0004228428.tif 000004